(57)【要約】【課題】露出制御用の絞りを備えた撮像装置において、主被写体までの距離と背景までの距離に変化が生じた場合でも、背景のボケ量を一定に保つこと。【解決手段】撮像装置にて主被写体／背景距離算出部８０１は、主被写体までの距離及び背景までの距離を算出する。メモリ１２は、背景画像のボケ量が指定された時点又は録画開始の時点で算出された主被写体及び背景までの各距離情報と、焦点距離及び絞り値の情報を記憶する。メモリ１２に記憶した主被写体までの距離と背景までの距離との差分量は、撮影中の主被写体までの距離と背景までの距離との差分量と随時に比較される。両者が相違する場合、露出制御部８０２は、背景までの距離の変化量に応じて絞り２を制御して被写界深度を変更する。【選択図】図１
2011250133.tif 000002
【特許請求の範囲】
【請求項１】
撮影レンズ及び露出制御用の絞りを備えた撮像装置であって、
主被写体までの距離及び背景までの距離を算出する算出手段と、
前記算出手段が算出した距離、前記撮影レンズに係る焦点距離、及び前記絞りに係る絞り値の情報を記憶する記憶手段と、
前記記憶手段が記憶している前記主被写体までの距離と前記背景までの距離との差分量を、撮影中の主被写体までの距離と背景までの距離との差分量と比較し、差分量が相違する場合、背景までの距離の変化量に応じて前記絞りを制御して被写界深度を変更する制御手段と、を備えることを特徴とする撮像装置。
【請求項２】
前記記憶手段は、背景画像のボケ量が指定された時点で前記算出手段が算出した前記主被写体までの距離及び前記背景までの距離の情報を記憶することを特徴とする、請求項１記載の撮像装置。
【請求項３】
前記記憶手段は、録画が開始された時点で前記算出手段が算出した前記主被写体までの距離及び前記背景までの距離の情報を記憶することを特徴とする、請求項１記載の撮像装置。
【請求項４】
前記制御手段は、前記差分量が相違する場合、前記記憶手段が記憶している背景までの距離と前記時点の後に前記算出手段が算出した背景までの距離との比に応じて被写界深度を算出し、該被写界深度に相当する絞り値に変更して露出制御を行うことを特徴とする、請求項２又は３項記載の撮像装置。
【請求項５】
撮影レンズ及び露出制御用の絞りを備えた撮像装置の制御方法であって、
主被写体までの距離及び背景までの距離を算出する算出ステップと、
前記算出ステップで算出した距離、前記撮影レンズに係る焦点距離、及び前記絞りに係る絞り値を記憶する記憶ステップと、
前記記憶ステップで記憶した前記主被写体までの距離と前記背景までの距離との差分量を、撮影中の主被写体までの距離と背景までの距離との差分量と比較し、差分量が相違する場合、背景までの距離の変化量に応じて前記絞りを制御して被写界深度を変更するステップを有することを特徴とする撮像装置の制御方法。
【発明の詳細な説明】
【技術分野】
【０００１】
本発明は、撮影画像において背景画像の非合焦の度合いを制御する技術に関するものである。
【背景技術】
【０００２】
従来の撮像装置は、撮影レンズ部内の絞りとＮＤ（Neutral Density）フィルタ、撮像素子の蓄積時間を制御する電子シャッタにより、被写体撮影時の明るさに応じて露出補正を行う。また撮影者は撮像装置のズーム機能を用いて、任意にズーム位置を設定し、焦点距離を変えることができる。被写体撮影時の明るさやズーム位置によって、絞りのＦ値と焦点距離が変化すると被写界深度が変わる。
一方、撮像装置には、立体感や奥行き感のある高品位画像が求められている。しかし撮影環境によっては絞り値が変化することで被写界深度が深くなり、または被写界深度が浅くなる。このため、背景画像のボケ量を一定に保つことが困難となり、奥行き感のある画像を得ることが難しいという問題がある。
【０００３】
これを回避するため、従来の撮像装置では、撮像素子上に写る被写界を二次元的に複数の領域に分割し、各領域で光学系のピント位置を移動させることで、主要被写体と背景被写体に分離する。主要被写体にピントを合わせた画像と、背景被写体にピントの合っていないピンボケ状態となるピント位置で撮影した画像を合成することで、被写界深度の浅い画像を生成する手段が講じられている（特許文献１参照）。
【先行技術文献】
【特許文献】
【０００４】
【特許文献１】特開２００８−２４５０５４号公報
【発明の概要】
【発明が解決しようとする課題】
【０００５】
しかしながら、特許文献１に開示の装置では、主要被写体の画像を得るためにピント位置を移動させる動作と、背景被写体がピンボケ状態となるようにピント位置を移動させる動作が必要となる。つまり、被写界深度の浅い画像を生成するために、２度もピント位置を移動させる必要がある。そのため、被写界深度が浅い１枚の画像を得るのに要する時間は、ピント位置の移動にかかる時間分だけ長くなってしまう。また、被写界深度が浅い画像を生成するためにピント位置を２回移動させることは、動画撮影や連写撮影などのように、連続した画像データの取得が必要な場合には適さない。
そこで本発明は、主被写体までの距離と背景までの距離に変化が生じた場合でも、背景画像のボケ量を一定に保つことを目的とする。
【課題を解決するための手段】
【０００６】
上記課題を解決するために本発明に係る装置は、撮影レンズ及び露出制御用の絞りを備えた撮像装置であって、主被写体までの距離及び背景までの距離を算出する算出手段と、前記算出手段が算出した距離、前記撮影レンズに係る焦点距離、及び前記絞りに係る絞り値の情報を記憶する記憶手段と、前記記憶手段が記憶している前記主被写体までの距離と前記背景までの距離との差分量を、撮影中の主被写体までの距離と背景までの距離との差分量と比較し、差分量が相違する場合、背景までの距離の変化量に応じて前記絞りを制御して被写界深度を変更する制御手段と、を備える。
【発明の効果】
【０００７】
本発明によれば、主被写体までの距離と背景までの距離に変化が生じた場合でも、背景画像のボケ量を一定に保つことができる。
【図面の簡単な説明】
【０００８】
【図１】図２乃至８と併せて本発明の第１実施形態を説明するために、撮像装置の構成例を示すブロック図である。
【図２】被写体の画像情報とともに距離情報を取得可能な撮像素子の一例を示す説明図である。
【図３】撮像素子におけるマイクロレンズの瞳分割方式と、位相差検出方式の基本原理を説明する図である。
【図４】カメラ信号処理回路及びＣＰＵの処理を説明する図である。
【図５】位相差検出素子に関する補間処理方法の一例を説明する図である。
【図６】被写界深度の原理を説明する図である。
【図７】主被写体までの距離と背景までの距離の変化に応じた被写界深度の制御に関する説明図である。
【図８】制御動作例を示すフローチャートである。
【図９】本発明の第２実施形態に係る制御動作例を示すフローチャートである。
【発明を実施するための形態】
【０００９】
［第１実施形態］
図１は本発明の一実施形態に係る撮像装置の構成例の概要を示す。撮影レンズ１は被写体を撮影する撮像光学系を構成し、露出制御用の絞り２は入射光量を制限し、撮像素子３に適正な露光量の光を入射させる。撮像素子３は、ＴＧ（Timing Generator）回路９から出力されるタイミングパルスで駆動され、入射光を光電変換によって電気信号に変換して出力する。ＴＧ回路９は、ＣＰＵ（中央演算処理装置）８によって制御され、例えば、所定の電圧振幅をもつ駆動パルスを水平同期信号ＨＤに同期させて、一定周期の信号として出力する。
ＣＤＳ及びＡ／Ｄ回路４は撮像素子３の出力信号を受けて、相関二重サンプリング（Correlated Double Sampling）処理と、アナログ信号からデジタル信号への変換処理を行う。ＴＧ回路９はＣＤＳ及びＡ／Ｄ回路４に駆動信号を生成して送信する。
カメラ信号処理回路５は、ＣＤＳ及びＡ／Ｄ回路４からの出力信号を輝度信号と色信号に分離し（Ｙ／Ｃ分離）、映像信号処理、色信号処理、ガンマ補正等を行い、画像信号を生成する。ビデオ信号処理回路６は、カメラ信号処理回路５からの出力信号をビデオ信号に変換し、表示部１０及び記録媒体１１に出力する。ビデオ信号処理回路６に設けられた画像メモリ７は、エンコード又はデコード処理後の画像データに係るバッファリング処理用の記憶装置である。後述する操作部１３からの操作指示に従って録画動作が開始された場合、ビデオ信号処理回路６は画像メモリ７を用いて、入力された映像信号のエンコード処理又はデコード処理を行う。記録媒体１１には所定の処理を施された画像データが記録される。
【００１０】
撮像装置は、被写体までの距離情報を算出する算出手段又は焦点状態を検出して焦点調節用のレンズ又はレンズ群（以下、フォーカスレンズという）の移動量を算出する算出手段（図示しない）を備える。該算出手段からの出力信号はカメラ信号処理回路５を介してＣＰＵ８に入力される。ＣＰＵ８内に示す主被写体／背景距離算出部（以下、距離算出部という）８０１、露出制御部８０２、光学制御部８０３は、ＣＰＵ８がプログラムを解釈して実行する処理を機能ブロックで表している。距離算出処理を担当する距離算出部８０１は撮像装置から主被写体までの距離情報と、撮像装置から背景までの距離情報を算出する。露出制御部８０２は静止画又は動画の撮影時に適正露出が行われるように、絞り値やシャッタ速度などを制御する。光学制御部８０３は、フォーカスレンズやズームレンズなどへの駆動信号を生成してそれらの動作を制御する。
ＣＰＵ８は、被写体撮影中に設定した主被写体までの距離及び背景までの距離と、被写界深度情報に基づき、主被写体までの距離に対する背景までの距離に変化が生じた場合、主被写体に対する被写界深度を制御する。これにより、絞り２の状態が変化することで、背景画像のボケ量を一定に保つ制御が行われる。
メモリ１２はＣＰＵ８に接続され、ＣＰＵ８の処理に必要な各種データやプログラムを記憶する。操作部１３は、撮影者の操作指示をＣＰＵ８に伝え、背景画像のボケ量を指定するための選択スイッチ（ボケ指定選択スイッチ）や、録画の開始や終了を指示する録画スイッチなどを有する。
【００１１】
次に図２乃至６を用いて、距離情報の分布を表すマップ（以下、距離マップという）データの生成処理について説明する。以下では、撮像素子３の内部に瞳分割した画素を埋め込み、これらを焦点状態検出素子として使用した距離算出法を説明する。
図２は撮像素子３における焦点状態検出素子の配置例を示す。拡大図で示すように、撮影用の素子と焦点状態検出素子が配列されている。本例では、第１行及び第２行、並びに第４行及び第５行の各画素列に示す素子（丸枠内の正方形で示す）が撮像に使用される。第３行の第２列、第６列、第１０列・・・に示す画素位置の検出素子（丸枠内に２つの長方形で示す）が焦点状態検出に使用される。焦点状態検出素子は連続的に設けた方が検出精度は向上するが、画像の劣化が大きくなってしまうため、精度向上と高画質化はトレードオフの関係にある。各素子の前面には丸枠で示すように、入射光を効率よく集光するマイクロレンズが配置されている。
【００１２】
焦点状態検出素子では、図３（Ａ）に示すように光束を瞳分割することで、各分割光束が一対の受光素子Ａ，Ｂにそれぞれ入射する。図２に示すように水平方向に並んで配置された受光素子Ａ（丸枠内の左側の長方形参照）の各出力をまとめることで第１の像（以下、Ａ像という）が得られる。受光素子Ｂ（丸枠内の右側の長方形参照）の各出力をまとめることで第２の像（以下、Ｂ像という）が得られる。
次に、Ａ像、Ｂ像から撮像レンズのピントずれ量を求める焦点検出原理について説明する。図３（Ｂ）に示すように、撮影レンズのＡ領域を通る光束によって撮像面上に形成される被写体像（Ａ像）と、Ｂ領域を通る光束によって形成される被写体像（Ｂ像）の位置は、合焦時、前ピン時、後ピン時で変化する。結像面と撮像面との距離であるデフォーカス量が大きいほど、Ａ像とＢ像のズレは大きくなり、また前ピン時と後ピン時では像のズレ量の符号が逆になる。これを利用して像ズレからデフォーカス量を検出するのが位相差検出方式である。
【００１３】
次に図４を用いて、カメラ信号処理回路５（符号５０１乃至５０４参照）、ＣＰＵ８（符号５０６乃至５１２参照）の処理を説明する。
先ず、位相差検出に係る画素部分の画像キャプチャとしての補間処理について説明する。撮像素子３から読み出した撮像信号については、焦点状態検出素子の位置に相当する部分で画素信号の欠落が起こる。このため、画素補間処理部５０１は、焦点状態検出素子の周囲に位置する画素のデータを用いた補間によって、焦点状態検出素子の位置に相当するデータを算出する。画素補間処理部５０１の出力信号は映像信号処理部５０２に送られ、ビデオ信号処理回路６で取り扱える信号となる。補間演算の方法については、図５に示すように、対象となる焦点状態検出素子の上下に位置する同色画素の信号を単純平均する処理が挙げられる。本例では、５行５列の中央に焦点状態検出素子が位置しており、「Ｅxx」(x＝１乃至５)は各画素の電荷レベルを表す。単純平均法では焦点状態検出素子の位置におけるＥ３３の値が、１画素をおいてその上下に位置するＥ３１とＥ３５との平均値として算出される。この他、焦点状態検出素子の位置を中心として上下左右にある、より多くの画素の電荷レベルのデータを用いて、重み付け平均値を算出する方法など、様々な方法を採用できる。かかる方法は画素のキズ補正と同様な技術で既に公知である為、詳細な説明は省略する。
図４にオン／オフスイッチの記号で示すＡＦ（オートフォーカス）ゲートスイッチ５０３は、ＣＤＳ及びＡ／Ｄ回路４でＡ／Ｄ変換した撮像信号のうち、どの部分をＡＦ信号処理するかを選択する。ＡＦゲートスイッチ５０３は後述のＡＦ制御部５１２からの信号に従って制御される。ＴＶ−ＡＦ信号処理部５０４は、ＡＦゲートスイッチ５０３で抽出した信号を帯域通過フィルタなどで処理して所定範囲の周波数成分を抽出することで、画像の鮮鋭度を表す値を得る。
【００１４】
次にＴＶ―ＡＦ信号の生成について説明する。ＴＶ―ＡＦ信号は、例えば撮像信号のフィルタリング処理によって所定の高周波成分のレベルを求めることで生成される。その際、焦点状態検出素子の位置に対応する画素部分が欠落した信号のままでフィルタリング処理を行うと、誤差を含んだ信号となってしまう。そこで映像信号のうち、どの部分についてＡＦ信号処理を行うかがＡＦゲートスイッチ５０３により制御される。つまり、該スイッチはＡＦエリアを決める以外に、焦点状態検出素子の位置に対応する画素部分が欠落している映像信号の水平ラインについては、ＴＶ−ＡＦ信号処理を通さないようにする役目をもつ。これにより、焦点状態検出素子の位置に相当する画素部分の欠落によって影響を受けないＴＶ−ＡＦ信号が得られる。
ＣＰＵ８内の構成部５０７、５０９、５１２は、ＣＰＵ８の処理を機能ブロックで表している。切り替えスイッチの記号で図示するセレクタ５０６は、ＣＤＳ及びＡ／Ｄ回路４でＡ／Ｄ変換した撮像信号のうち、前述したＡ像、Ｂ像への振り分けを行う。つまり、セレクタ５０６が第１の状態に切り替わったとき、Ａ像のデータを位相差演算処理部５０７が取得し、セレクタ５０６が第２の状態に切り替わったとき、Ｂ像のデータを位相差演算処理部５０７が取得する。位相差演算処理部５０７は、撮像画面内の各位置におけるＡ像、Ｂ像にどれだけのズレ量があるかを算出して、各検出位置でのズレ量をテーブル５０８に示すように二次元配列データとして管理する。
【００１５】
距離マップ作成処理部５０９は、位相差演算処理部５０７が求めたズレ量に基づいて、合焦レンズ位置を算出し、合焦レンズ位置と距離テーブル５１０を用いて撮像画面における各エリアの合焦距離を算出する。ＣＰＵ８は、例えば、距離テーブル５１０に示すデータ形式で、ズームレンズ位置ごとの離散的なフォーカスレンズ位置に対する合焦距離のデータを保持している。距離マップ作成処理部５０９は、フォーカスレンズ位置に対する合焦距離を、距離テーブル５１０のデータから補間して求め、撮像面での焦点状態検出エリアごとに被写体までの距離を算出して距離マップを作成する。算出結果はテーブル５１１に示すように二次元配列データとして管理される。
ＡＦ制御部５１２は、ＴＶ−ＡＦ信号と距離マップのデータに基づいてフォーカスレンズを駆動することで合焦制御を行う。なお、距離マップ作成処理部５０９は図１の距離算出部８０１を構成し、ＡＦ制御部５１２は光学制御部８０３を構成する。絞り２の制御は後述する処理に従って露出制御部８０２により行われる。
【００１６】
次に図６を用いて、被写体までの距離に対する被写界深度の原理を説明する。図中の「ｌ」は撮像装置から主被写体までの距離（以下、主被写体距離という）を表す。同図において、主被写体距離ｌに対して被写体にピントが合っている状態で、距離ｌよりも撮像装置から遠い部分でピントが合う後方被写界深度を「Ｄｂ」とし、該距離ｌよりも近い部分でピントが合う前方被写界深度を「Ｄａ」とする。被写界深度を「Ｄ」、レンズの焦点距離を「ｆ」、撮影レンズ部の絞りのＦナンバーを「Ｆｎｏ」とし、許容錯乱円を「σ」とすると、撮影条件から、被写界深度は下式で表される。
【数１】
2011250133.tif 000003
次に、主被写体距離（Ｌｓと記す）と、撮像装置から背景までの距離（以下、背景距離といい、Ｌｈと記す）に対する被写界深度制御について、図７を用いて説明する。ここで距離Ｌｓ及びＬｈが焦点距離ｆよりも非常に大きい（Ｌｓ＞＞ｆ）と仮定しており、式（１）は、「｜Ｄｂ｜≒ｌ」となる。
【００１７】
図７（Ａ）の状態では、「Ｌｓ＝Ｌｓ１」、「Ｌｈ＝Ｌｈ１」であり、このときの主被写体に対する被写界深度が「ｄ１」である。この状態で、撮影が行われている最中に、操作部１３に設けた指定選択スイッチなどを用いて、撮影者が現在の背景画像のボケ量を保持する指示を行った場合、Ｌｓ１、Ｌｈ１、ｄ１の値がメモリ１２に記憶される。その後、図７（Ｂ）に示すように、「Ｌｓ＝Ｌｓ２」、「Ｌｈ＝Ｌｈ２」に変化する。例えば、背景距離ＬｈがＬｈ２（＝Ｌｈ１／２）になった場合、被写界深度ｄ２の値が上記関係式から、前記ｄ１の２分の１に相当する被写界深度となるように、絞り２が露出制御部８０２により制御される。つまり、撮影者の操作指示により背景画像のボケ量が指定された直後での距離Ｌｈ１に対して、背景画像のボケ量の指定操作の後に距離Ｌｈが短くなった場合（Ｌｈ＝Ｌｈ２）には、距離Ｌｈ１に対する距離Ｌｈ２の比に応じて絞り制御が行われる。その際、被写界深度ｄ２が小さくなるように、つまり被写界深度が浅くなるように絞りＦ値を小さくする制御が行われる。一方、ボケ量の指定後に距離Ｌｈが長くなった場合、距離Ｌｈ１に対する距離Ｌｈ２の比に応じて、被写界深度ｄ２が大きくなるように、つまり被写界深度が深くなるように絞りＦ値を大きくする制御が行われる。本制御により、撮影者が背景画像のボケ量を指定した後で、主被写体距離に対して背景距離が変化した場合でも、背景距離の変化量に応じて被写界深度が制御されるので、一定のボケ量をもつ背景画像の生成が可能となる。
【００１８】
次に図８のフローチャートを用いて、背景画像のボケ量を一定に保つ制御について説明する。
撮影開始（Ｓ１０００）の後、距離マップ作成処理部５０９は、現在撮影中の被写体画像から距離情報を算出し、距離マップのデータを生成する（Ｓ１００１）。距離算出部８０１は、距離マップのデータとピント位置に基づいて主被写体を判別し、主被写体距離と背景距離を算出する（Ｓ１００２）。
次にＣＰＵ８は、ボケ量の指定選択手段、例えば操作部１３に設けた指定選択スイッチなどが操作されたことを検出する（Ｓ１００３）。次にＣＰＵ８は、この時点での主被写体距離Ｌｓ１と背景距離Ｌｈ１の各データをメモリ１２に記憶する（Ｓ１００４）。次にＣＰＵ８は不図示のズーム位置の検出部から得られる焦点距離の検出情報を取得してメモリ１２に記憶する（Ｓ１００５）。ＣＰＵ８は、この時点での絞りＦ値を検出してメモリ１２に記憶する（Ｓ１００６）。ＣＰＵ８は、検出した絞りＦ値、焦点距離ｆ、主被写体距離Ｌｓ１に基づき、被写界深度情報ｄ１を算出し、これをメモリ１２に記憶する（Ｓ１００７）。
【００１９】
背景距離ＬｈがＬｈ２に変化した場合（図７（Ｂ）参照）、距離マップ作成処理部５０９は距離情報を再び算出して距離マップを更新する。更新された距離マップを用いて、再度、主被写体距離Ｌｓ２と背景距離Ｌｈ２が算出される（Ｓ１００８）。ＣＰＵ８は、｜Ｌｈ１−Ｌｓ１｜と｜Ｌｈ２−Ｌｓ２｜を比較し、両者が等しいか否かを判定する（Ｓ１００９）。判定結果が「｜Ｌｈ１−Ｌｓ１｜＝｜Ｌｈ２−Ｌｓ２｜」の場合、現在の絞りＦ値を維持した状態で撮影が継続する（Ｓ１０１０）。一方、｜Ｌｈ１−Ｌｓ１｜と｜Ｌｈ２−Ｌｓ２｜が等しくない場合、ＣＰＵ８は、Ｌｈ２とＬｈ１の比率「Ｌｈ２／Ｌｈ１」を算出する（Ｓ１０１１）。この算出結果から、背景画像が一定のボケ量となるように、主被写体に対する最適な被写界深度ｄ２が算出される。つまり、「ｄ２＝（Ｌｈ２／Ｌｈ１）×ｄ１」からｄ２の値が求まる（Ｓ１０１２）。ＣＰＵ８は、算出した被写界深度ｄ２に相当する絞りＦ値を算出した後、絞り２の駆動制御を行う（Ｓ１０１３）。絞りＦ値が変更された状態で、露出制御部８０２は、撮像素子３の電子シャッタを制御し、撮影レンズ部内のＮＤフィルタを変更して露出補正を行う（Ｓ１０１４）。
【００２０】
第１実施形態では、被写体撮影中に距離マップを作成し、ボケ量の指定が実行された時点における主被写体距離Ｌｓ１、背景距離Ｌｈ１、焦点距離ｆ、絞りＦ値、被写界深度ｄ１のデータをメモリに記憶する。そしてボケ量の指定が実行された後での主被写体距離Ｌｓ２及び背景距離Ｌｈ２が再び算出される。これらを記憶済みのデータと比較することで、主被写体距離と背景距離との差分量｜Ｌｈ１−Ｌｓ１｜と｜Ｌｈ２−Ｌｓ２｜について判定処理が行われる。差分量に相違が生じた場合、背景距離の変化量（Ｌｈ２／Ｌｈ１）に応じて被写界深度が変更され、これにより背景画像のボケ量を一定に制御することができる。
【００２１】
［第２実施形態］
次に、本発明の第２実施形態を説明する。第２実施形態では、録画待機中の状態から録画の開始が指示されたときに、背景画像のボケ量を一定に制御する。第２実施形態に係る撮像装置の構成は第１実施形態の場合と同様であるため、制御動作の流れについて図９に示すフローチャートを用いて説明する。以下、図８と相違するＳ１１００乃至１１０２を説明し、第１実施形態の場合と同様の処理については既に使用したステップ番号を用いることにより、各処理の詳細な説明を省略する。
Ｓ１００２の後、Ｓ１１００にて操作部１３に設けられた録画スッチなどの操作部材が操作され、録画が開始する。Ｓ１１０１でＣＰＵ８は、録画開始直後の主被写体距離Ｌｓ１と背景距離Ｌｈ１を、距離マップのデータから算出し、メモリ１２に記憶してＳ１００５に進む。
Ｓ１００９にて｜Ｌｈ１−Ｌｓ１｜と｜Ｌｈ２−Ｌｓ２｜が等しくない場合、Ｓ１０１１乃至１０１４の処理を経てＳ１１０２に進む。撮影者が録画スイッチなどの操作部材を操作して録画の終了が撮像装置に指示されると、録画動作が終了した時点で、前記動作が終了する。
【００２２】
第２実施形態によれば、録画開始や終了のトリガ信号によって撮像装置を遠隔操作する場合でも、背景画像のボケ量を一定に制御することができる。
【符号の説明】
【００２３】
１  撮影レンズ
２  絞り
８  ＣＰＵ
１２  メモリ
８０１  主被写体／背景距離算出部
８０２  露出制御部
８０３  光学制御部
【図１】
2011250133.tif 000004
【図２】
2011250133.tif 000005
【図３】
2011250133.tif 000006
【図４】
2011250133.tif 000007
【図５】
2011250133.tif 000008
【図６】
2011250133.tif 000009
【図７】
2011250133.tif 000010
【図８】
2011250133.tif 000011
【図９】
2011250133.tif 000012